(57)【要約】【課題】シートが斜行して排出された場合でも、シートを安定してシート積載部に積載することのできる画像読取装置及び画像形成装置を提供する。【解決手段】画像読取部によって画像が読み取られ、排出部により排出されたシートを排出トレイ１０に排出する。また、排出トレイ１０のシート排出方向と直交する幅方向の側方に凸部を設ける。そして、シート排出方向に沿って排出トレイ１０の上面に設けられ、凸部と反対側の頂点３３の高さＢが、凸部側の頂点３４の高さＣよりも高くなるよう形成された排出方向補正部３０により、凸部から離れる方向に排出されるシートの排出方向をシート排出方向に沿う方向に補正する。【選択図】図４
2013249184.tif 000002
【特許請求の範囲】
【請求項１】
シートの画像を読み取る画像読取部と、
前記画像読取部により画像が読み取られたシートを排出する排出部と、
前記排出部により排出されたシートを積載するシート積載部と、
前記シート積載部の上面の、シート排出方向と直交する幅方向の一方の側方にシート排出方向に沿って形成された凸部と、
前記シート積載部の上面にシート排出方向に沿って設けられ、シートが前記凸部から離れる方向に排出された際、シートの排出方向をシート排出方向に沿う方向に補正するよう前記凸部と反対側の頂点の高さが、凸部側の頂点の高さよりも高くなるように形成された排出方向補正部と、を備えたことを特徴とする画像読取装置。
【請求項２】
前記排出方向補正部の前記凸部と反対側の頂点及び前記凸部側の頂点の間には、前記凸部と反対側の頂点及び前記凸部側の頂点と繋がると共に、幅方向に沿って下方に湾曲した湾曲面が設けられていることを特徴とする請求項１記載の画像読取装置。
【請求項３】
前記排出方向補正部の前記凸部と反対側の頂点及び前記凸部側の頂点の間には、前記凸部と反対側の頂点及び前記凸部側の頂点と繋がると共に、それぞれ幅方向の中心に向かって下方に傾斜した傾斜面が設けられていることを特徴とする請求項１記載の画像読取装置。
【請求項４】
前記画像読取部による画像読取位置にシートを搬送すると共に、画像読取装置本体に開閉自在に取り付けられたシート搬送装置を備え、
前記シート搬送装置に前記排出部、前記シート積載部、前記凸部及び前記排出方向補正部を設けたことを特徴とする請求項１乃至３のいずれか１項に記載の画像読取装置。
【請求項５】
請求項１乃至４のいずれか１項に記載の画像読取装置と、前記画像読取装置により読み取られた原稿画像情報に基づいて画像を形成する画像形成部と、を備えたことを特徴とする画像形成装置。
【発明の詳細な説明】
【技術分野】
【０００１】
本発明は、画像読取装置及び画像形成装置に関し、特に画像が読み取られた後、排出されるシートを積載するシート積載部の構成に関する。
【背景技術】
【０００２】
従来、デジタル複写機、プリンタ、ファクシミリ等の画像形成装置においては、画像形成部と、画像読取装置とを備え、画像読取装置によって読み取った画像情報に基づいて画像形成部により、画像を形成するようにしたものがある。この画像読取装置の読み取り方法として、シートである原稿をプラテンガラス上に載置した後、圧板により原稿をプラテンガラスに密着させ、この状態で画像読取部を走査させることにより原稿画像を読み取る方法がある。
【０００３】
また、画像読取装置としては、ＡＤＦ（自動原稿搬送装置）を備えたものがある。そして、このような画像読取装置では、プラテンガラスの所定の画像読取位置の下方に画像読取部を固定し、この画像読取位置上を、ＡＤＦにより原稿を一定の速度で搬送することにより、原稿画像を読み取る方法（以下、流し読みという）がある。このような流し読みの際、画像読取部を読取位置の直下に移動して停止させた後、ランプから光を出射して画像読取位置を通過する原稿を走査し、その反射光を画像読取部により検出する。なお、画像が読み取られた後の原稿は、原稿排出ローラ対によりシート積載部に排出される。
【０００４】
ところで、従来、シート積載部には、排出された原稿を取り出す際、操作者が排出された原稿の下方に手を差し入れやすくするための原稿取出用凹部が形成されている。しかし、このようにシート積載部に原稿取出用凹部を設けた場合、原稿が排出される際、原稿の中央部が原稿取出用凹部に垂れ下がってしまい整合性が低下する場合がある。そこで、従来は、このような原稿の垂れ下がりを防ぐため、原稿取出用凹部に凸部を配置する構成が提案されている（特許文献１参照）。
【先行技術文献】
【特許文献】
【０００５】
【特許文献１】特開２００４−１０１８８号公報
【発明の概要】
【発明が解決しようとする課題】
【０００６】
ここで、このような従来の画像読取装置において、原稿取出用凹部に凸部を配置して原稿の垂れ下がりを防ぐことにより、整合性の低下を防ぐことができる。しかし、例えば原稿排出ローラ対のニップ線が排出方向に対して直角でない状態や、原稿排出ローラ対のニップ線方向、言い換えれば装置の幅方向で原稿排出ローラ対のニップ圧が均一でない状態で原稿が搬送されると、排出原稿が斜行して排出されることがある。
【０００７】
この場合、例えば、図８に示すように、原稿Ｄ１が排出中心に対して装置前側に斜行して排出されると、原稿Ｄ１は排出方向下流側に移動していくに従い、装置前側へのずれ量が大きくなっていく。そして、このずれ量がシート積載部１０Ａの排出原稿載置面内に収まらない場合、最終的には原稿Ｄ１が落下してしまう。
【０００８】
そこで、本発明は、このような現状に鑑みてなされたものであり、シート（原稿）が斜行して排出された場合でも、シートを安定してシート積載部に積載することのできる画像読取装置及び画像形成装置を提供することを目的とするものである。
【課題を解決するための手段】
【０００９】
本発明は、画像読取装置において、シートの画像を読み取る画像読取部と、前記画像読取部により画像が読み取られたシートを排出する排出部と、前記排出部により排出されたシートを積載するシート積載部と、前記シート積載部の上面の、シート排出方向と直交する幅方向の一方の側方にシート排出方向に沿って形成された凸部と、前記シート積載部の上面にシート排出方向に沿って設けられ、シートが前記凸部から離れる方向に排出された際、シートの排出方向をシート排出方向に沿う方向に補正するよう前記凸部と反対側の頂点の高さが、凸部側の頂点の高さよりも高くなるように形成された排出方向補正部と、を備えたことを特徴とするものである。
【発明の効果】
【００１０】
本発明のように、凸部と反対側の頂点が凸部側の頂点よりも高くなるよう形成された排出方向補正部によってシートの排出方向を補正することにより、シートが斜行して排出された場合でも、シートを安定してシート積載部に積載することができる。
【図面の簡単な説明】
【００１１】
【図１】本発明の実施の形態に係る画像読取装置の構成を説明する図。
【図２】上記画像読取装置を排出トレイ側から見た側面図。
【図３】上記排出トレイに排出原稿が排出方向に対し装置奥側に斜めに排出された状態を示す図。
【図４】上記排出トレイに設けられた排出方向補正部の構成を説明する図。
【図５】上記排出トレイの平面図。
【図６】上記排出トレイに排出された原稿の動きを説明する図。
【図７】上記排出方向補正部の他の構成を説明する図。
【図８】従来の画像読取装置の、排出トレイに原稿が排出方向に対し装置前側に斜めに排出された状態を示す図。
【発明を実施するための形態】
【００１２】
以下、本発明を実施するための形態について図面を用いて詳細に説明する。図１は、本発明の実施の形態に係る画像読取装置の構成を説明する図であり、図１において、１は画像読取装置、１Ａは画像読取装置本体（以下、装置本体という）である。この装置本体１Ａは、上面にプラテンガラス１６１及び原稿台ガラス３が取り付けられると共に、画像が形成されたシートである原稿Ｄの画像を読み取る画像読取部（以下、リーダ部という）１５０を備えている。また、画像読取装置１は、装置本体１Ａに不図示のヒンジを介して開閉自在に取り付けられ、リーダ部１５０に原稿Ｄを供給するシート搬送装置である原稿搬送装置（以下、ＡＤＦという）２を備えている。
【００１３】
ここで、リーダ部１５０は、原稿Ｄの画像面に光を照射するランプ１５２と、このランプ１５２によって照射された原稿Ｄからの反射光をレンズ１５７に導くミラー１５３，１５５，１５６、電荷結合素子（ＣＣＤ）１５８等によって構成されている。なお、１５９は光学台であり、ランプ１５２とミラー１５３は、この光学台１５９に取り付けられている。この光学台１５９は、不図示のモータの駆動によって原稿台ガラス３と平行に往復移動するようになっている。
【００１４】
また、リーダ部１５０は、ユーザによって選択された、流し読みモード（ＡＤＦ原稿読取モード）と、固定読みモード（原稿台ガラス原稿読取モード）とのいずれかのモードによって原稿を読み取るようになっている。流し読みモードは、ＡＤＦ２により原稿Ｄを、停止した光学台１５９の上方のプラテンガラス１６１上の原稿読取位置（画像読取位置）１６０を通過させて原稿画像を読み取るモードである。固定読みモードは、ユーザにより原稿台ガラス３上に載置された原稿画像を、光学台１５９を副走査方向に移動させながら読み取るモードである。そして、固定読みモードの場合は、光学台１５９を往復移動することにより、原稿台ガラス３上の原稿が光学的に走査される。
【００１５】
ここで、流し読みモード及び固定読みモードにおいて、原稿Ｄからの反射光は、ミラー１５３，１５５，１５６によってレンズ１５７に導かれ、レンズ１５７によってＣＣＤ１５８上に集光される。ＣＣＤ１５８は、原稿情報を反映した反射光を光電変換し、電子的な画像信号として不図示のプリンタ（画像形成装置）に出力する、あるいはデータとしてメモリに蓄積する。
【００１６】
なお、光学台１５９を移動させるステッピングモータは、光学台１５９のホームポジション位置を検知するポジションセンサの位置を基準にして正転、逆転して、光学台１５９を往復移動させるようになっている。したがって、リーダ部１５０は、ポジションセンサによって基準の位置にあることが検知されてから所定パルス、ステッピングモータを駆動することで、所望の位置に光学台１５９を位置させることができる。
【００１７】
ＡＤＦ２は、不図示の蝶番によって後部が装置本体１Ａの上面に接続されており、蝶番を介して装置本体１Ａに開閉自在に設けられている。そして、固定読みモードのときには、ユーザが、ＡＤＦ２の手前を持ち上げ、表出した原稿台ガラス３に原稿を載置するようにしている。
【００１８】
ここで、ＡＤＦ２は、原稿Ｄが積載される原稿トレイ４を備えており、この原稿トレイ４には、１対の幅方向規制板１９が原稿の給送方向と直交する幅方向にスライド自在に配置されている。そして、この幅方向規制板１９により、原稿トレイ４に積載された原稿Ｄの幅方向を規制することで原稿供給時に、幅方向の位置を揃えて原稿を供給できるようにしている。
【００１９】
また、原稿トレイ４の上方には、上下方向に回動自在な不図示のアームの回動端に回転自在に支持され、アームの回動に伴って昇降する原稿供給ローラ５が設けられている。なお、この原稿供給ローラ５は、通常、ホームポジションである上方（図中実線位置）に待避しており、原稿トレイ４に原稿Ｄを載置するとき、原稿載置の邪魔にならないようにしている。
【００２０】
ここで、流し読みモードの場合、原稿供給ローラ５は、図中実線の位置から破線の位置に下降して、原稿Ｄの上面に当接する。そして、この原稿供給ローラ５により送り出された原稿Ｄは、分離搬送ローラ８と、分離搬送ローラ８に圧接している分離パッド６とにより構成される分離部により１枚ずつ分離される。なお、原稿供給ローラ５は、分離搬送ローラ８の回転駆動に連れて回転し、原稿ＤをＡＤＦ内に供給するようになっている。また、原稿供給ローラ５によって供給される原稿Ｄを、分離搬送ローラ８と協働して捌き、１枚ずつに分離する分離パッド６としては、分離搬送ローラ８より摩擦が若干小さいゴムなどの摩擦部材を使用している。
【００２１】
次に、このように分離部により１枚ずつに分離された原稿Ｄは、この後、レジストレーションローラ１２と従動ローラ１１とにより構成される斜行補正部に搬送される。そして、この斜行補正部において、分離搬送ローラ８によって送られてきた原稿Ｄが斜めになっているとき、原稿Ｄの向きを真っ直ぐに修正するようになっている。
【００２２】
さらに、斜行補正部により斜行が補正された原稿Ｄは、原稿読取位置１６０の搬送方向上流側（シート搬送方向上流側）に設けられた第１リードローラ対１４，２２によりプラテンガラス１６１に向けて搬送される。そして、上流プラテンローラ２４、下流プラテンローラ２５により上方への移動を規制されながらプラテンガラス１６１を通過し、この際、原稿画像がリーダ部１５０によって読み取られる。なお、画像が読み取られた後の原稿Ｄは、原稿読取位置１６０の搬送方向下流側に位置する第２リードローラ対１６，２３により、原稿排出ローラ対１８に搬送され、排出部である原稿排出ローラ対１８は、原稿Ｄをシート積載部である排出トレイ１０に排出する。
【００２３】
なお、図１において、２１は分離搬送ローラ８から原稿排出ローラ対１８まで原稿を案内するＵ字状に湾曲した案内パスであり、この湾曲した案内パス２１の内側に上流プラテンローラ２４、下流プラテンローラ２５が配設されている。２０は、原稿Ｄの表裏両面を読み取る際、一面が読み取られた後の原稿Ｄを反転させて再度、案内パス２１に向かわせるスイッチバックパスである。
【００２４】
そして、両面モード時には、一面の画像が読み取られた原稿Ｄを排出トレイ１０に排出せず、正逆転可能な原稿排出ローラ対１８を逆転させてスイッチバックパス２０に搬送する。この後、原稿Ｄを案内パス２１に案内して斜行補正部に向けて搬送し、斜行補正部により斜行が補正された原稿Ｄがプラテンガラス１６１に到達すると、既述した一面と同様に、原稿Ｄの裏面の読取が行われる。
【００２５】
図２は、画像読取装置１を排出トレイ１０側から見た側面図である。図２において、２６は排出トレイ１０の原稿排出方向（シート排出方向）と直交する奥行き方向（幅方向）の一方の側方である奥側に設けられている凸部である。なお、この凸部２６の内部に、既述したＡＤＦ２を装置本体１Ａに開閉自在に取り付ける不図示のヒンジが設けられている。
【００２６】
ここで、原稿排出ローラ対１８を構成する２つのローラのニップの向き（ニップ線）が排出方向に対して直角でない状態や、奥行き方向で原稿排出ローラ対１８のニップ圧が均一でない状態で原稿Ｄが搬送される場合がある。そして、このとき既述した図８に示すように、原稿Ｄが排出中心に対して装置前側に斜めに排出されると、原稿Ｄは排出されるに従って装置前側へ大きくずれて行く。そして、このときのずれ量が排出トレイ１０の排出原稿載置面内に収まらない場合、最終的には原稿Ｄが落下してしまう。
【００２７】
一方、原稿排出ローラ対１８のニップ線の状態等によっては、図３に示すように原稿Ｄが排出中心に対して装置奥側に斜めに排出される場合がある。この場合、原稿Ｄは、装置前側斜めに排出された時と同様、排出されるに従って装置奥側へ大きくずれて行くが、ずれ量が大きくなると、やがて凸部２６の側壁面に当接するようになる。これにより、装置奥側へのずれ量が規制され、原稿Ｄが落下することはない。また、原稿ずれ量の全体に占める割合も装置前側と比較すると小さい。
【００２８】
そこで、本実施の形態においては、原稿が装置前側に向かうように斜行して排出された場合には、原稿を凸部側に向かわせるように、つまり原稿Ｄの幅方向における中央が排出中心に揃うように、排出トレイ１０に排出方向補正部３０を設けている。図４は、このような排出方向補正部３０の構成を説明する図であり、図５は排出トレイ１０の平面図である。図４及び図５において、３１及び３２は、排出トレイ１０の上面の排紙方向下流側端部に設けられ、排出中心に対し装置前奥方向に対称に下方に湾曲した第１及び第２湾曲面である。
【００２９】
３３は装置手前側の第１湾曲面３１の頂点、３５は第１湾曲面３１の頂点３３に繋がる装置手前側の平坦領域、３４は装置奥側の第２湾曲面３２の頂点、３６は第２湾曲面３２の頂点に繋がる装置奥側の平坦領域である。そして、本実施の形態において、凸部２６と反対側の頂点である第１湾曲面３１の頂点３３の高さＢは、凸部側の頂点である第２湾曲面３２の頂点３４の高さＣよりも高くなっている。なお、図４において、５０は排出トレイ１０の排出方向下流側端に引出し可能に設けられた補助トレイであり、サイズの大きなシートを排出する際は、この補助トレイ５０を引き出す。
【００３０】
ここで、排出トレイ１０に原稿Ｄが図６の（ａ）に示すように、排出方向に対し装置前側方向に斜めに排出された場合、原稿Ｄは装置前側方向に大きくずれる挙動を示す。しかし、本実施の形態のように、第１湾曲面３１の頂点３３の高さＢを第２湾曲面３２の頂点３４の高さＣよりも高くすることにより、すなわち装置奥側に対し装置前側が高くすることにより、前側にずれようとする原稿Ｄは、排出中心側に戻ろうとする。なお、このように排出中心側に戻された原稿は、２つの頂点３３，３４の間に設けられ、第１及び第２湾曲面３１，３２により構成される幅方向に沿って下方に湾曲した湾曲面によって、排出中心に寄せられるため、装置奥側へ寄ってしまうことはない。
【００３１】
このように、本実施の形態においては、排出トレイ１０の上面に、第１湾曲面３１の頂点３３が第２湾曲面３２の頂点３４の高さよりも高くなるように、すなわち装置奥側に対し装置前側が高くなるように形成された排出方向補正部３０を設けている。そして、このように構成された排出方向補正部３０により、原稿Ｄが装置前側に向かうように斜行して排出された原稿Ｄの排出方向を補正することができる。
【００３２】
つまり、本実施の形態においては、排出トレイ１０の上面に排出方向補正部３０を設け、原稿Ｄが装置前側に向かうように斜行して排出された場合でも、原稿Ｄを排出中心側に戻すようにしている。これにより、シートが斜行して排出された場合でも、整合性が乱れるのを防ぐことができ、シートを安定して排出トレイ１０に積載することができる。
【００３３】
なお、これまでの説明においては、排出中心に対し装置前奥方向に対称な湾曲面３１，３２を設けたが、本発明は、これに限らない。例えば、湾曲面ではなく図７に示すように、排出中心に対し装置前奥方向に対称に下方に傾斜した傾斜面４１，４２を設けても良い。なお、図７において、４３は装置手前側の第１傾斜面４１の頂点、４５は第１傾斜面４１の頂点４３に繋がる装置前側の平坦領域、４４は装置奥側の第２傾斜面４２の頂点、４６は第２傾斜面４２の頂点４４に繋がる装置奥側の平坦領域を示している。また、凸部２６と反対側の頂点である第１傾斜面４１の頂点４３の高さＦは、凸部側の頂点である第２傾斜面４２の頂点４４の高さＥよりも高くなっている。
【００３４】
そして、このように排出方向補正部３０Ａを構成することにより、図６の（ａ）に示すように、原稿Ｄが排出方向に対し装置前側方向に斜行して排出された場合でも、排出原稿を排出中心側に戻すことができる。これにより、シートが斜行して排出された場合でも、整合性が乱れるのを防ぐことができ、シートを安定して排出トレイ１０に積載することができる。
【００３５】
なお、これまでの説明においては、画像読取装置１に本発明を適用した場合について説明したが、本発明は、これに限らず、画像読取装置１により読み取られた原稿画像情報に基づいて画像形成部により画像を形成する画像形成装置に適用することができる。
【符号の説明】
【００３６】
１…画像読取装置、１Ａ…画像読取装置本体、２…原稿搬送装置、１０…排出トレイ、１８…原稿排出ローラ対、２６…凸部、３０，３０Ａ…排出方向補正部、３１…第１湾曲面、３２…第２湾曲面、３３…第１湾曲面の頂点、３４…第２湾曲面の頂点、４１…第１傾斜面、４２…第２傾斜面、４３…第１傾斜面の頂点、４４…第２傾斜面の頂点、１５０…画像読取部、Ｂ…第１湾曲面の頂点の高さ、Ｃ…第２湾曲面の頂点の高さ、Ｄ…原稿、Ｅ…第２傾斜面の頂点の高さ、Ｆ…第１傾斜面の頂点の高さ
【図１】
2013249184.tif 000003
【図２】
2013249184.tif 000004
【図３】
2013249184.tif 000005
【図４】
2013249184.tif 000006
【図５】
2013249184.tif 000007
【図６】
2013249184.tif 000008
【図７】
2013249184.tif 000009
【図８】
2013249184.tif 000010